(57)【特許請求の範囲】
【請求項１】
一面が開口した箱型の本体と、厚み方向の一面を表示面として情報を表示する薄厚の板状であり前記表示面を外側へ向けて前記本体の前記一面に取り付けられる表示パネルと、前記表示パネルの内面に対向する前記本体の内面に固定され電気信号を前記表示パネルの振動に変換し前記表示パネルから音を出力させる駆動装置と、少なくとも前記表示パネルに電力を供給し前記表示パネルの前記表示面に情報を表示させる表示回路および前記駆動装置に前記電気信号を入力する音声回路を構成する電子回路部品とを備え、前記電子回路部品は、前記本体内に収納されており、前記表示パネルの厚み方向に交差する面内において前記駆動装置の周囲に配置されることを特徴とする表示装置。
【請求項２】
前記電子回路部品は、前記本体に取り付けられることを特徴とする請求項１記載の表示装置。
【請求項３】
前記表示パネルの前記内面には、前記表示パネルを補強する補強部材が設けられることを特徴とする請求項１または請求項２に記載の表示装置。
【請求項４】
前記駆動装置は前記電気信号が入力されるコイルを備え、磁性体からなり前記表示パネルの厚み方向に交差する面内において前記コイルと前記電子回路部品との間に配置されたシールド部材を備えることを特徴とする請求項１ないし請求項３のいずれか１項に記載の表示装置。
【請求項５】
前記駆動装置は前記電気信号が入力されるコイルを備え、前記補強部材の一部は、磁性体からなり前記表示パネルの厚み方向に交差する面内において前記コイルと前記電子回路部品との間に配置されるシールド部材として兼用されることを特徴とする請求項３記載の表示装置。
【請求項６】
一面が開口した箱型の本体と、厚み方向の一面を表示面として情報を表示する薄厚の板状であり前記表示面を外側へ向けて前記本体の前記一面に取り付けられる表示パネルと、前記表示パネルの内面に対向する前記本体の内面に固定され電気信号を前記表示パネルの振動に変換し前記表示パネルから音を出力させる駆動装置と、少なくとも前記表示パネルに電力を供給し前記表示パネルの前記表示面に情報を表示させる表示回路および前記駆動装置に前記電気信号を入力する音声回路を構成する電子回路部品とを備え、前記電子回路部品は、前記本体内に収納されており、
前記駆動装置は前記電気信号が入力されるコイルを備え、前記電子回路部品と前記コイルとは、前記表示パネルの厚み方向に交差する面内において、前記本体の内周面間を結ぶ最も長い直線の両端部にそれぞれ配置されることを特徴とする表示装置。
【請求項７】
前記補強部材の一部は、前記電子回路部品間を接続する電路を兼ねることを特徴とする請求項３に記載の表示装置。
【発明の詳細な説明】
【技術分野】
【０００１】
本発明は、情報を表示する表示パネルを振動板として用いて音を出力させる表示装置に関する。
【背景技術】
【０００２】
従来から、情報を表示する表示パネルを振動させることにより表示パネルから音を出力する表示装置が提供されている。例えば、特許文献１には情報の表示を行ない音声を出力する表示装置として有機ＥＬパネルスピーカが開示されている。特許文献１に記載された有機ＥＬパネルスピーカは、表示パネルとして機能する有機ＥＬパネル部を備える。有機ＥＬパネル部は、外周部が前フレームと後フレームにより保持されている。この有機ＥＬパネルスピーカは、磁石を備えた磁気回路構成体とボイスコイルとからなるボイスコイル型駆動装置を備える。磁気回路構成体は後フレームの中央部に形成された開口部内に固定され、ボイスコイルは表示パネルの背面に固定される。この構成では、ボイスコイルに音声信号が入力されると有機ＥＬパネル部が振動して音が出力される。有機ＥＬパネルスピーカは、別に設けられた制御部により、表示および音声出力が制御される。
【先行技術文献】
【特許文献】
【０００３】
【特許文献１】特開２００９−３０１４３１号公報
【発明の概要】
【発明が解決しようとする課題】
【０００４】
上述したように、特許文献１に記載された有機ＥＬパネルスピーカは、制御部を別に備えている。制御部を別に設ける場合、制御部はケースを備えると考えられる。したがって、有機ＥＬパネルスピーカを天井や壁に設置する場合、制御部のケースを露出させないように天井裏や壁裏に配置しようとすると施工に手間がかかるという問題が生じ、ケースを室内側に配置するとケースが露出して見栄えが悪くなる。特許文献１には、制御部を有機ＥＬパネルスピーカと一体に設けてもよい旨の記載があるが、磁気回路構成体が後フレームに嵌め込まれた形であるから、有機ＥＬパネルスピーカと制御部とを合わせた全体としての厚みが大きくなったり、外形寸法が大きくなるという問題がある。
【０００５】
本発明は、上記事由に鑑みて為されたものであって、制御のための回路を一体化しながらも従来構成よりも小型化が可能になる表示装置を提供することを目的とする。
【課題を解決するための手段】
【０００６】
本発明の表示装置は、一面が開口面した箱型の本体と、厚み方向の一面を表示面として情報を表示する薄厚の板状であり表示面を外側へ向けて本体の前記一面に取り付けられる表示パネルと、表示パネルの内面に対向する本体の内面に固定され電気信号を表示パネルの振動に変換し表示パネルから音を出力させる駆動装置と、少なくとも表示パネルに電力を供給し表示パネルの表示面に情報を表示させる表示回路および駆動装置に電気信号を入力する音声回路を構成する電子回路部品とを備え、電子回路部品は、本体内に収納されており、表示パネルの厚み方向に交差する面内において駆動装置の周囲に配置されることを特徴とする。
【０００７】
この表示装置において、電子回路部品は、本体に取り付けられることが望ましい。
【０００８】
この表示装置において、表示パネルの内面には、表示パネルを補強する補強部材が設けられることがより望ましい。
【０００９】
この表示装置において、駆動装置は電気信号が入力されるコイルを備え、磁性体からなり表示パネルの厚み方向に交差する面内においてコイルと電子回路部品との間に配置されたシールド部材を備えることがより望ましい。
【００１０】
この表示装置において、駆動装置は電気信号が入力されるコイルを備え、補強部材の一部は、磁性体からなり表示パネルの厚み方向に交差する面内においてコイルと電子回路部品との間に配置されるシールド部材として兼用されることがより望ましい。
【００１１】
本発明の別の表示装置は、一面が開口した箱型の本体と、厚み方向の一面を表示面として情報を表示する薄厚の板状であり表示面を外側へ向けて本体の前記一面に取り付けられる表示パネルと、表示パネルの内面に対向する本体の内面に固定され電気信号を表示パネルの振動に変換し表示パネルから音を出力させる駆動装置と、少なくとも表示パネルに電力を供給し表示パネルの表示面に情報を表示させる表示回路および駆動装置に電気信号を入力する音声回路を構成する電子回路部品とを備え、電子回路部品は、本体内に収納されており、駆動装置は電気信号が入力されるコイルを備え、電子回路部品とコイルとは、表示パネルの厚み方向に交差する面内において、前記本体の内周面間を結ぶ最も長い直線の両端部にそれぞれ配置されることを特徴とする。
【００１２】
この表示装置において、強部材の一部は、電子回路部品間を接続する電路を兼ねることがより望ましい。
【発明の効果】
【００１３】
本発明の構成によれば、制御のための回路を一体化しながらも従来構成よりも小型化が可能になるという利点がある。
【図面の簡単な説明】
【００１４】
【図１】実施形態１を示し、（ａ）は一部切欠した分解側面図、（ｂ）は分解斜視図である。
【図２】同上を示す一部切欠した側面図である。
【図３】同上を示す正面図である。
【図４】同上の他の配置例を示す一部切欠した分解側面図である。
【図５】実施形態２を示す分解斜視図である。
【図６】実施形態３を示す分解斜視図である。
【図７】実施形態４を示す分解斜視図である。
【発明を実施するための形態】
【００１５】
以下に説明する表示装置は、情報を表示する表示パネルを振動させることにより表示パネルから音を出力する。以下の各実施形態においては、避難路などを示す誘導灯に用いる表示装置を例示するが、実施形態で説明する技術を他の用途の表示装置に用いることを妨げない。
【００１６】
（実施形態１）
表示パネル２は、薄厚の矩形板状に形成されており、厚み方向の一面である表示面２１に情報を表示する。表示面２１には、図１に示すように、避難口を示すピクトグラムが情報として表示される。本実施形態における表示パネル２は、有機ＥＬを用いた面発光光源を備え、電力が供給されると表示面２１の略全面が発光することにより、情報を表示する構成を想定する。以下、表示パネル２の表示面２１を前面として説明する。
【００１７】
表示装置１は、厚み方向の一面である前面が開口した矩形箱状の本体４を備える。本体４は、例えば、天井や壁面などに固定される。本体４の前面には、図２に示すように、表示パネル２が本体４の前面の開口を塞ぐように取り付けられる。本体４の内部には、電気信号を受けて表示パネル２を振動させる駆動装置５が配置される。つまり、駆動装置５に電気信号が入力されると、表示パネル２が本体４に対して振動し、表示パネル２から音が出力される。
【００１８】
表示パネル２の内面（図２の右面）には、表示パネル２を補強する補強部材３が設けられる。補強部材３は、図１（ｂ）のように、矩形枠状の外枠部３１と、外枠部３１内の中央部に位置する円環状の内枠部３２と、外枠部３１の各頂点から延び内枠部３２に連続する連結部３３とからなる。
【００１９】
本体４は、後面を塞ぐ図示しない後壁４１と、後壁４１の外周縁全周から前方に突出する周壁４２とを備える。図２に示すように、表示パネル２は、内面の外周部が周壁４２の前端部に支持されることにより本体４に取り付けられており、本体４に対して振動可能になっている。
【００２０】
駆動装置５は、例えば、コイルと磁石とを備える。本実施形態においては、コイル５１は本体４の後壁４１の内面の中央部に固定されており、磁石（図示せず）は表示パネル２の内面の中央部に固定されている。駆動装置５は、表示装置１を前方から表示パネル２を透視して見た場合、補強部材３の内枠部３２の内側に位置する（図３参照）。また、表示パネル２の内面には磁性体からなるヨーク５２が後方へ突設される。
【００２１】
コイル５１に電気信号が入力されると、表示パネル２が前後方向へ振動する。すなわち、本体４は壁面などに固定され、表示パネル２は本体４の周壁４２に支持されているため、表示パネル２は本体４に対して前後方向へ振動する。そのため、コイル５１に電気信号が入力されると、表示パネル２から音が出力される。
【００２２】
本体４の内部には、表示パネル２の表示面２１に情報を表示させる表示回路や表示パネル２から音を出力させる音声回路や電源装置を構成する電子回路部品６が収納される。各電子回路部品６は、電線などにより電気的に接続される。本実施形態においては、表示回路と音声回路とは同じ電源装置から電力が供給される。電源装置は、蓄電池を備えており、通常時は商用電源からの電力を変換して電子回路部品６に供給するとともに、蓄電池を充電する。商用電源からの電力供給が停止した場合、電源装置は、蓄電池からの電力を電子回路部品６に供給する。
【００２３】
表示回路は、電源装置から電力が供給されると、表示パネル２を発光させて表示面２１に情報を表示させる。音声回路は、例えば、商用電源からの電力供給が停止し蓄電池からの電力供給が開始したときのみ電源装置から電力が供給され、停電を知らせる音声メッセージなどを表示パネル２から出力させるために、駆動装置５のコイル５１に電気信号を入力する。音声回路は、外部から入力される報知信号を受けて、駆動装置５のコイル５１に電気信号を入力させてもよい。他にも、音声回路は、マイクロフォンなどから入力された電気信号を増幅して駆動装置５のコイル５１に入力してもよい。なお、電子回路部品６は、商用電源からの電線を接続する端子台や蓄電池を点検する点検スイッチなどの部品を含む。
【００２４】
電子回路部品６は、後壁４１の内面に取り付けられており、表示パネル２の厚み方向に交差する面内においてコイル５１の周囲に配置される。これにより、表示装置１の厚みが大きくなることが抑制される。電子回路部品６が本体４内に収納されているため、電子回路部品６が外部に露出することがなく見栄えに影響しない。また、表示回路や音声回路が表示パネル２と一体化されているため施工が容易になる。また、電子回路部品６は、図３のように、表示装置１を前方から表示パネル２を透視して見た場合、補強部材３とは重ならない位置に配置される。これにより、表示装置１の厚みをさらに小さくすることができる。
【００２５】
なお、電子回路部品６は、図４に示すように、表示パネル２の内面側に設けてもよい。また、表示パネル２は、有機ＥＬを使った構成に限らず、ＬＥＤと導光板とを使った面発光光源などを用いてもよい。
【００２６】
（実施形態２）
本実施形態においては、図５に示すように、本体４内にシールド部材７が設けられる点が実施形態１と相違する。
【００２７】
シールド部材７は、鉄などの磁性体からなり、表示パネル２の厚み方向に交差する面内においてコイル５１と電子回路部品６との間に配置される。つまり、シールド部材７は、コイル５１の上下左右方向の外周面を略全周に亘って囲むように、本体４の後壁４１に設けられる。これにより、コイル５１周囲の磁束がシールド部材７を通りやすくなり、コイル５１に電気信号が入力されたときに形成される磁界の影響を電子回路部品６に及びにくくし、表示装置１の誤作動を防止できる。また、シールド部材７は、表示装置１を前方から表示パネル２を透視して見た場合、連結部３３と重なる部分は切り欠かれ先端部が連結部３３に沿って外側へ延びるように形成されており、補強部材３と重ならないように形成される。
【００２８】
その他の構成および機能は実施形態１と同様である。
【００２９】
（実施形態３）
本実施形態においては、図６に示すように、補強部材３の少なくとも一部が鉄などの磁性体からなる点が実施形態１と相違する。つまり、本実施形態においては、補強部材３の一部が、コイル５１に電気信号が入力されたときに形成される磁界が電子回路部品６に影響を与えにくくするシールドとして機能する。本実施形態においては、コイル５１を囲むように配置される内枠部３２は磁性体で形成される。これにより、補強部材３を通る磁界が形成されやすくなり、コイル５１に電気信号が入力されたときに形成される磁界の影響を電子回路部品６に及びにくくし、表示装置１の誤作動を防止できる。また、別途シールド部材などを用いる必要がないため、表示装置１の部品数を削減することができる。
【００３０】
その他の構成および機能は実施形態１と同様である。
【００３１】
（実施形態４）
本実施形態においては、図７に示すように、コイル５１が本体４の後壁４１の内面の一角（図７においては、左上角）付近に取り付けられる点が実施形態１と相違する。
【００３２】
電子回路部品６は、本体４の後壁４１の内面におけるコイル５１と取り付けられた一角の対角（図７においては、右下角）付近に取り付けられる。つまり、表示パネル２の厚み方向に交差する面内において、本体４の周壁４２の内周面間を結ぶ最も長い直線の両端部にそれぞれ配置される。これにより、本体４内におけるコイル５１と電子回路部品６との物理的な距離が遠くなり、電子回路部品６はコイル５１が形成する磁界の影響を受けにくくなる。また、別途シールド部材などを用いる必要がないため、表示装置１の部品数を削減することができる。
【００３３】
その他の構成および機能は実施形態１と同様である。
【００３４】
（実施形態５）
本実施形態においては、補強部材３の一部が電子回路部品６間を接続する電路を兼ねる点が実施形態１と相違する。すなわち、補強部材３を単芯線のような塑性変形する硬い電線で形成し、コネクタなどを介して電子回路部品６と接続する。これにより、補強部材３が電子回路部品６間を電気的に接続する電線としても兼用され、表示装置１の部品数を削減することができる。
【００３５】
その他の構成および機能は実施形態１と同様である。
【符号の説明】
【００３６】
１  表示装置
２  表示パネル
２１  表示面
３  補強部材
４  本体
５  駆動装置
５１  コイル
６  電子回路部品
７  シールド部材
【図１】
0005887529.tif 000002
【図２】
0005887529.tif 000003
【図３】
0005887529.tif 000004
【図４】
0005887529.tif 000005
【図５】
0005887529.tif 000006
【図６】
0005887529.tif 000007
【図７】
0005887529.tif 000008